(57)【要約】【課題】デスク本体の天板上のスペースを広く確保しつつ、本等の最小限の物品をデスク本体の上に整理して並べることが可能なデスク装置を提供する。【解決手段】本発明に係るデスク装置１０は、天板１１１及び天板１１１を支持する複数本の脚１１２を有するデスク本体１１と、脚１１２の間に収容可能な棚本体１２１、棚本体１２１から上方へ突出して設けられ、デスク本体１１の天板１１１より高い位置まで延びる背面板１２２、及び背面板１２２におけるデスク本体１１の天板１１１より高い位置から突出して設けられ、上下方向に延びるブックエンド板１２３、を有する棚１２と、を備えるものである。【選択図】図１
2012020047.tif 000002
【特許請求の範囲】
【請求項１】
天板及び天板を支持する複数本の脚を有するデスク本体と、
前記脚の間に収容可能な棚本体、該棚本体から上方へ突出して設けられ、前記デスク本体の天板より高い位置まで延びる背面板、及び前記背面板における前記デスク本体の天板より高い位置から突出して設けられ、上下方向に延びる物品支持板、を有する棚と、
を備えることを特徴とするデスク装置。
【請求項２】
前記物品支持板が、前記背面板に着脱可能に、且つ、前記背面板の表裏両面に取り付け可能に設けられたことを特徴とする請求項１に記載のデスク装置。
【請求項３】
前記棚本体が、前記脚の下端から前記天板の下面までの高さと略等しい高さを有することを特徴とする請求項１又は２に記載のデスク装置。
【請求項４】
前記背面板が、前記物品支持板の取り付け用と、前記棚を前記デスク本体に固定するための転倒防止金具の取り付け用とに兼用されるネジ挿通孔を有することを特徴とする請求項１から３のいずれか１項に記載のデスク装置。
【請求項５】
前記天板が、前記棚を前記デスク本体に固定するための転倒防止金具の取り付け用と、電気器具を固定するための固定金具の取り付け用とに兼用される金具挿通穴を有することを特徴とする請求項１から３のいずれか１項に記載のデスク装置。
【発明の詳細な説明】
【技術分野】
【０００１】
本発明は、デスク本体と棚とを有するデスク装置に関するものである。
【背景技術】
【０００２】
学習用のデスク装置としては、天板が複数本の脚で支持されたデスク本体の上に、本やノートを収納するための棚が固定して設置されるものが広く知られている。このようなデスク装置は、棚の存在によって使い勝手が良くなる一方、頭上に棚が存在することによって使用者によっては圧迫感を感じ、天板上のスペースも狭くなってしまう。従って、近年、デスク本体と棚とを別体として構成し、使用者の用途や好みに応じて、例えばデスク本体の後部や側部に棚を自在に配置変更が可能なデスク装置が提唱されている（例えば、特許文献１を参照）。
【先行技術文献】
【特許文献】
【０００３】
【特許文献１】特開２００８−６２６１号公報
【発明の概要】
【発明が解決しようとする課題】
【０００４】
しかし、従来のデスク装置によれば、デスク本体の後部に別体の棚を配置した場合、デスク本体の前部に位置するユーザから棚までの距離が遠くなることによって、棚の存在による圧迫感は低減される反面、ユーザが子供や小柄な体型の人である場合、棚に収納された本やノートを取り出しにくいという問題がある。
【０００５】
しかし、従来のデスク装置によれば、デスク本体の後部や側部に棚を配置した場合、棚の存在による圧迫感は低減され、天板上のスペースを広く確保できる反面、本等の物品をデスク本体の上に整理して並べることができず、使い勝手が悪いという問題がある。
【０００６】
本発明は、このような事情を考慮してなされたものであり、その目的は、デスク本体の天板上のスペースを広く確保しつつ、本等の最小限の物品をデスク本体の上に整理して並べることが可能なデスク装置を提供することにある。
【課題を解決するための手段】
【０００７】
上記目的を達成するために、本発明は以下の手段を採用している。すなわち、本発明に係るデスク装置は、天板及び天板を支持する複数本の脚を有するデスク本体と、前記脚の間に収容可能な棚本体、該棚本体から上方へ突出して設けられ、前記デスク本体の天板より高い位置まで延びる背面板、及び前記背面板における前記デスク本体の天板より高い位置から突出して設けられ、上下方向に延びる物品支持板、を有する棚と、を備えることを特徴とする。
【０００８】
このような構成によれば、デスク本体の脚の間に、棚を構成する棚本体を収容するようにして、デスク本体の側部または後部に棚を配置すると、棚本体から突出してデスク本体の天板より高い位置まで延びる背面板から、物品支持板が突出した状態となる。このため、この物品支持板を利用して、天板上に最小限の物品を整理して並べることができる。
【０００９】
また、本発明に係るデスク装置は、前記物品支持板が、前記背面板に着脱可能に、且つ、前記背面板の表裏両面に取り付け可能に設けられたことを特徴とする。
【００１０】
このような構成によれば、背面板の表裏両面に物品支持板を取り付けることができる。これにより、棚本体をデスク本体側に向けて棚を配置した場合も、棚本体をデスク本体と逆側に向けて棚を配置した場合も、いずれの場合も背面板に取り付けられた物品支持板を利用して、デスク本体の天板の上に本等を並べることができる。
また、物品支持板が背面板に着脱可能なので、棚の配置の仕方に応じて、すなわち棚本体をデスク本体側に向けるか或いはデスク本体と逆側に向けるかによって、物品支持板を背面板の表面と裏面とに適宜付け替えることができる。これにより、背面板の表面と裏面の両方に物品支持板をそれぞれ取り付ける場合と比較して、材料費削減によるコストダウンを図ることができる。また、背面板からデスク本体と逆側に向かって使用しない物品支持板が突出しないので、装置全体としての省スペース化及び材料費削減によるコストダウンを図ることができる。
【００１１】
また、本発明に係るデスク装置は、前記棚本体が、前記脚の下端から前記天板の下面までの高さと略等しい高さを有することを特徴とする。
【００１２】
このような構成によれば、地震等によって棚に外力が作用しても、デスク本体の脚の間に収容された棚本体が天板の下面に接触することで、棚の転倒を防止することができる。
【００１３】
また、本発明に係るデスク装置は、前記背面板が、前記物品支持板の取り付け用と、前記棚を前記デスク本体に固定するための転倒防止金具の取り付け用とに兼用されるネジ挿通孔を有することを特徴とする。
【００１４】
このような構成によれば、転倒防止金具を用いて棚をデスク本体に固定することにより、地震等による外力の作用に対して棚の転倒を防止することができる。
また、物品支持板の取り付け用に背面板に設けるネジ挿通孔が、転倒防止金具を背面板に取り付けるためにも使用されるので、物品支持板の取り付け用のネジ挿通孔と転倒防止金具の取り付け用のネジ挿通孔とを背面板に別々に設ける場合と比べて、ネジ挿通孔の数を減らすことができる。これにより、背面板の製作工程を簡略化できるとともに、ネジ挿通孔によって背面板の強度が低下するのを抑制することができ、更にはネジ挿通孔によって背面板の美観が損なわれるのを最小限に抑えることもできる。
【００１５】
また、本発明に係るデスク装置は、前記天板が、前記棚を前記デスク本体に固定するための転倒防止金具の取り付け用と、電気器具を固定するための固定金具の取り付け用とに兼用される金具挿通穴を有することを特徴とする。
【００１６】
このような構成によれば、転倒防止金具を用いて棚をデスク本体に固定することにより、地震等による外力の作用に対して棚の転倒を防止することができる。
また、転倒防止金具の取り付け用に天板に設けられる金具挿通穴が、デスク本体に電気器具を固定する固定金具の取り付け用にも使用されるので、転倒防止金具の取り付け用の金具挿通穴と固定金具の取り付け用の金具挿通穴とを天板に別々に設ける場合と比べて、金具挿通穴の数を減らすことができる。これにより、天板の製作工程を簡略化できるとともに、金具挿通穴によって天板の強度が低下するのを抑制することができ、更には金具挿通穴によって天板の美観が損なわれるのを最小限に抑えることもできる。
【発明の効果】
【００１７】
本発明に係るデスク装置によれば、棚をデスク本体の側部や後部に配置することによって、デスク本体の天板上のスペースを広く確保しつつ、棚の背面板から突出した物品支持板を利用することによって、デスク本体の天板上に最小限の物品を整理して並べることができる。
【図面の簡単な説明】
【００１８】
【図１】本発明の実施形態に係るデスク装置の第１の使用状態を示す概略斜視図である。
【図２】図１におけるＡ−Ａ断面を示す概略断面図である。
【図３】棚を正面側から見た状態を示す概略斜視図である。
【図４】棚を背面側から見た状態を示す概略分解斜視図である。
【図５】転倒防止金具の取り付け構造を示す図であって、図１におけるＡ−Ａ断面を示す概略断面図である。
【図６】金具挿通穴の他の使用例を示す概略斜視図である。
【図７】本発明の実施形態に係るデスク装置の第２の使用状態を示す概略斜視図である。
【図８】本発明の実施形態に係るデスク装置の第３の使用状態を示す概略斜視図である。
【図９】本発明の実施形態に係る棚の他の使用例を示す概略斜視図である。
【発明を実施するための形態】
【００１９】
以下、図面を参照し、本発明の実施の形態について説明する。まず、本発明の実施形態に係るデスク装置の構成について説明する。図１は、本実施形態に係るデスク装置１０の第１の使用状態１を示す概略斜視図である。デスク装置１０は、デスク本体１１と、このデスク装置１０に隣接して配置され本等が収容される棚１２と、を備えるものである。
【００２０】
デスク本体１１は、図１に示すように、平面視略矩形の天板１１１と、この天板１１１の四隅を下方から支持する４本の脚１１２と、を有している。
【００２１】
天板１１１は、図１に示すように、平面視略矩形の天板本体１１１Ａと、使用者が位置する前部で天板１１１の下部に設けられた引き出し１１１Ｂと、天板本体１１１Ａの下部外縁に沿って設けられ脚１１２同士を連結する連結杆１１１Ｃと、を有する。そして、天板本体１１１Ａと連結杆１１１Ｃとの間には、天板本体１１１Ａの外縁に沿うようにして凹溝１１１Ｄが形成されている。ここで、図２は、図１におけるＡ−Ａ断面を示す概略断面図である。天板本体１１１Ａの外縁に沿って形成された凹溝１１１Ｄの所定箇所には、具体的には天板１１１の左右両側部及び後部には、連結杆１１１Ｃを貫通してデスク本体１１の内側に達するようにして、後述する転倒防止金具５０と固定金具５１の取り付け用に兼用される金具挿通穴１１１Ｅがそれぞれ形成されている。
尚、天板本体１１１Ａの平面視形状は、本実施形態に限られず適宜設計変更が可能である。また、天板１１１の引き出し１１１Ｂ、凹溝１１１Ｄ、及び金具挿通穴１１１Ｅは、本発明に必須の構成ではない。
【００２２】
４本の脚１１２は、その長手方向に直交する断面の形状（以下、単に「脚１１２の断面形状」と略す）が、略矩形形状をそれぞれ有している。そして、この４本の脚１１２は、図１に示すように、天板１１１の前部すなわち使用者の位置する側において、隣接する２本の脚１１２の間隔がＬ１である一方、天板１１１の側部すなわち前部から見た左右両側において、隣接する２本の脚１１２の間隔がＬ２（Ｌ２＜Ｌ１）となっている。
尚、脚１１２は少なくとも複数本であれば、その本数や配設位置や断面形状は、本実施形態に限定されず適宜設計変更が可能である。
【００２３】
一方、図３及び図４は、棚１２の外観を示す図であり、図３は正面側から見た概略斜視図、図４は背面側から見た概略分解斜視図である。棚１２は、正面側及び背面側が開口した箱状の棚本体１２１と、この棚本体の背面側に固定された背面板１２２と、この背面板１２２に着脱可能に設けられた３枚のブックエンド板１２３（物品支持板）と、を有している。
【００２４】
棚本体１２１は、図３に示すように、水平方向に延びる底面板１２１Ａと、この底面板１２１Ａの長手方向両端部から略垂直に起立して向かい合う一対の側面板１２１Ｂと、一対の側面板１２１Ｂの上端部同士を接続して水平方向に延びる天面板１２１Ｃと、棚本体１２１の内部を所定の間隔で区分する仕切り板１２１Ｄと、を有している。
【００２５】
ここで、図３に示す棚本体１２１の横幅Ｗｔ、すなわち一対の側面板１２１Ｂの外側面間の距離は、図１に示す天板１１１の側部における脚１１２の間隔Ｌ２と同程度か若干小さく形成されている。
また、図３に示す棚本体１２１の高さＨｔ、すなわち底面板１２１Ａの下面から天面板１２１Ｃの上面までの距離は、図１に示す脚１１２の下端１１２ａから天板１１１の下面１１１ａまでの高さＨｄ１、より詳細には脚１１２の下端１１２ａから連結杆１１１Ｃの下面までの高さＨｄ１と同程度か若干小さく形成されている。
これにより、棚本体１２１は、デスク本体１１の側部及び後部において、２本の脚１１２の間に収容可能な大きさとなっている。尚、棚本体１２１の構成は、本実施形態に限定されず適宜設計変更が可能である。
【００２６】
背面板１２２は、図３及び図４に示すように、平面視略矩形の平板部材であって、その横幅は、図３に示す棚本体１２１の横幅Ｗｔと同程度に形成されている。また、背面板１２２の高さＨｈは、図１に示す脚１１２の下端１１２ａから天板１１１の上面までの高さＨｄ２、より詳細には脚１１２の下端１１２ａから天板本体１１１Ａの上面までの高さＨｄ２より高く形成されている。これにより、背面板１２２は、図１に示すように棚本体１２１の背面に固定された状態で、天板１１１より高い位置まで延びている。
【００２７】
また、図３及び図４に示すように、背面板１２２における棚本体１２１より上方に突出した部分には、ブックエンド板１２３の取り付け用と転倒防止金具５０の取り付け用とに兼用される複数のネジ挿通孔１２４が形成されている。より詳細には、縦方向３行×横方向５列に配列された合計１５個のネジ挿通孔１２４が、背面板１２２を貫通してそれぞれ形成されている。
そして、このネジ挿通孔１２４のうち、最上段に位置する５個のネジ挿通孔１２４ａと、上から２段目に位置する５個のネジ挿通孔１２４ｂは、図１に示す天板１１１の上面より高い位置に形成されている。一方、最下段に位置する５個のネジ挿通孔１２４ｃは、図１に示す天板１１１の上面より低い位置に形成されている。
【００２８】
尚、背面板１２２の平面視形状やネジ挿通孔の個数等は、本実施形態に限定されず適宜設計変更が可能である。また、本実施形態では背面板１２２を棚本体１２１の背面に固定して設けたが、背面板１２２は棚本体１２１から上方へ突出してデスク本体１１の天板１１１より高い位置まで延びるものであれば足り、本実施形態に代えて例えば棚本体１２１の天面板１２１Ｃの上面から突出させて背面板１２２を設けてもよい。
【００２９】
３枚のブックエンド板１２３は、図３及び図４に示すように、平面視略矩形の平板部材であって、背面板１２２の表面すなわち棚本体１２１が固定された面に、それぞれ取り付けられている。より詳細には、図４に示すように、各ブックエンド板１２３は、背面板１２２の表面に上下方向に延びるようにそれぞれ配置され、背面板１２２に形成された最上段のネジ挿通孔１２４ａと上から２段目のネジ挿通孔１２４ｂを通して、固定ネジ５２によってそれぞれ固定されている。
また、各ブックエンド板１２３は、背面板１２２の表面から取り外し、図８に示すように、背面板１２２の裏面すなわち棚本体１２１の固定側とは逆側の面にも、取り付けることができる。この場合も、背面板１２２の裏面に上下方向に延びるように配置した各ブックエンド板１２３を、図８に詳細は示さないが、背面板１２２に形成された最上段のネジ挿通孔１２４ａと上から２段目のネジ挿通孔１２４ｂを通して、固定ネジ５２によってそれぞれ固定すればよい。
【００３０】
尚、ブックエンド板１２３の平面視形状、個数、背面板１２２における取り付け位置等は、本実施形態に限定されず適宜設計変更が可能である。
また、各ブックエンド板１２３を背面板１２２と一体構成し、背面板１２２の表裏両面からそれぞれブックエンド板１２３を突出させて設けてもよい。しかし、本実施形態のように各ブックエンド板１２３を背面板１２２と別部材とし、背面板１２２の表裏両面に選択的に取り付け可能とすることにより、背面板１２２の表面と裏面からブックエンド板１２３を別々に突出させて設ける場合と比較すると、材料費削減によるコストダウンを図ることができる。更に、各ブックエンド板１２３を背面板１２２の表裏両面に選択的に取り付け可能とすることにより、使用しないブックエンド板１２３が背面板１２２から突出することがないので、デスク装置１０全体として横方向への省スペース化を図ることができる。
【００３１】
次に、本実施形態に係るデスク装置１０を第１の使用状態１で使用するための手順、及びその作用効果について説明する。デスク装置１０を第１の使用状態１で使用する場合、使用者は、まず、棚１２に転倒防止金具５０を取り付ける。すなわち、使用者は、図５に示すように、Ｌ型の転倒防止金具５０の一片５０ａを、背面板１２２の表面における最下段のネジ挿通孔１２４ｃが形成された位置に当接させる。そして、この一片５０ａを挿通させた固定ボルト５３を、ネジ挿通孔１２４ｃに挿通させ、背面板１２２の裏面から突出した固定ボルト５３の先端に、固定ナット５４を螺合させる。これにより、転倒防止金具５０の一片５０ａが背面板１２２の表面に固定され、その一片５０ａの上端から、転倒防止金具を構成する他片５０ｂが、水平方向に突出した状態となる。
【００３２】
次に、使用者は、デスク本体１１の側部に棚１２を配置する。すなわち、使用者は、デスク本体１１の側部において隣接する脚１１２の間に、棚１２の棚本体１２１を挿入させる。そして、棚１２の背面板１２２がデスク本体１１の天板１１１に略当接するまで、棚本体１２１を挿入させることにより、棚本体１２１の全体を脚１１２の間に収容する。
そして、この時、図５に示すように、背面板１２２から水平方向に突出した転倒防止金具５０の他片５０ｂを、連結杆１１１Ｃに形成された金具挿通穴１１１Ｅに挿通させる。
ここで、背面板１２２に取り付けられた３枚のブックエンド板１２３は、前述のようにいずれも天板１１１の上面より高い位置にあるので、デスク本体１１の側部に棚１２を配置すると、デスク本体１１の側部上方に各ブックエンド板１２３がそれぞれ配置された状態となる。
【００３３】
最後に、使用者は、転倒防止金具５０をデスク本体１１に固定する。すなわち、使用者は、図５に示すように、デスク本体１１の金具挿通穴１１１Ｅに挿通された転倒防止金具５０の他片５０ｂを、固定ネジ５２を用いることにより、天板本体１１１Ａに固定する。
【００３４】
このような第１の使用状態１によれば、図１に示すように、デスク本体１１の天板１１１の上面に棚１２を配置しないので、天板１１１の上のスペースを広く確保することができ、また棚１２の存在によって使用者が圧迫感を感じることもない。更に、天板１１１の上方に配置された各ブックエンド板１２３を用いることにより、本５５等の最小限の物品をデスク本体１１の上に整理して並べることができる。尚、各ブックエンド板１２３を用いて整理する物品は、本５５に限られず、例えばノートや雑誌といった他の物品であってもよい。
【００３５】
また、第１の使用状態１によれば、前述のように、図３に示す棚本体１２１の横幅Ｗｔが、図１に示す天板１１１の側部における脚１１２の間隔Ｌ２と同程度か若干小さく形成されているため、地震等による外力の作用を受けても、棚本体１２１に横方向へのガタツキが生じにくい。
更に、前述のように、図３に示す棚本体の高さＨｔが、図１に示す脚１１２の下端１１２ａから天板１１１の下面１１１ａまでの高さＨｄ１と同程度か若干小さく形成されているため、地震等による外力の作用を受けても、棚本体１２１に上下方向へのガタツキが生じにくい。
加えて、転倒防止金具５０を用いて棚１２をデスク本体１１に固定するので、地震等による外力の作用に対し、棚本体１２１には横方向へのガタツキや上下方向へのガタツキが一層生じにくい。これにより、棚１２の転倒を未然に防止することができる。
【００３６】
尚、本実施形態では、転倒防止金具５０を用いて棚１２をデスク本体１１に固定したが、デスク本体１１は必ずしも棚１２に固定する必要はなく、棚本体１２１を脚１１２の間に収容しただけの状態でデスク装置１０を使用してもよい。
また、本実施形態では、デスク本体１１に形成された金具挿通穴１１１Ｅを、転倒防止金具５０の取り付け用に使用したが、この金具挿通穴１１１Ｅを、デスク本体１１に電気器具を固定するために使用してもよい。具体的には、前述のように、金具挿通穴１１１Ｅは、天板１１１の左右両側部及び後部にそれぞれ形成されているため、棚１２の配置位置によっては、転倒防止金具５０の取り付け用には使用されない状態の金具挿通穴１１１Ｅが存在する。従って、図６に示すように、電気器具５６の下端に設けられた固定金具５１を、未使用状態の金具挿通穴１１１Ｅに挿通させ、不図示の固定ネジを用いることにより、固定金具５１を天板本体１１１Ａに固定することができる。
【００３７】
次に、本実施形態に係るデスク装置１０を第２の使用状態２で使用するための手順、及びその作用効果について説明する。図７は、本発明の実施形態に係るデスク装置１０の第２の使用状態２を示す概略斜視図である。この第２の使用状態２は、第１の使用状態１と比較すると、棚１２の配置位置がデスク本体１１の後部である点、及び棚１２に取り付けた転倒防止金具５０の他片５０ｂ（図７には不図示）を、天板１１１の後部に形成された金具挿通穴１１１Ｅに挿通させる点、において異なっている。それ以外の手順、及びその作用効果については、第１の使用状態と同じであるため、図７では図１と同じ符号を付し、その説明を省略する。
【００３８】
次に、本実施形態に係るデスク装置１０を第３の使用状態３で使用するための手順、及びその作用効果について説明する。図８は、本発明の実施形態に係るデスク装置１０の第３の使用状態３を示す概略斜視図である。この第３の使用状態３は、第１の使用状態１と比較すると、棚１２の配置位置はデスク本体１１の側部であって、図１に示す第１の使用状態１と同じであるが、棚１２の向きが第１の使用状態１から１８０°回転させた状態、すなわち棚本体１２１をデスク本体１１とは逆側に向けた状態である点で第１の使用状態１とは異なっている。
【００３９】
この第３の使用状態３でデスク装置１０を使用する場合、使用者は、まず３枚のブックエンド板１２３を棚１２の背面板１２２の裏面にそれぞれ取り付ける。すなわち、前述のように、ブックエンド板１２３は背面板１２２の裏面にも取り付け可能となっている。使用者は、背面板１２２に形成された最上段のネジ挿通孔１２４ａと、上から２段目のネジ挿通孔１２４ｂとを通して、各ブックエンド板１２２を固定ネジ（不図示）によって背面板１２２の裏面にそれぞれ取り付ける。
【００４０】
次に、使用者は、棚１２をデスク本体１１の側部に配置する。すなわち、使用者は、背面板１２２の裏面をデスク本体１１の側に向けた状態で、棚１２をデスク本体１１に突き合わせる。
【００４１】
このような第３の使用状態３によれば、第１の使用状態１と同様に、天板１１１の上のスペースを広く確保することができ、また棚１２の存在によって使用者が圧迫感を感じることもない。更に、天板１１１の上方に配置された各ブックエンド板１２３を用いることにより、最小限の物品をデスク本体１１の上に整理して並べることができる。また、棚本体１２１がデスク本体１１と逆側を向いているので、棚本体１２１が脚１１２の間に収容される場合と比較すると、棚本体１２１の内部に物品が収容しやすく棚１２の使い勝手が良い。
【００４２】
尚、図８に詳細は示さないが、この第３の使用状態３でも、第１の使用状態１と同様に、転倒防止金具５０を用いて、棚１２とデスク本体１１とを固定してもよい。
【００４３】
次に、本実施形態に係るデスク装置１０を構成する棚１２の他の使用例について説明する。図９は、棚１２の他の使用例を示す概略斜視図である。この使用例では、棚１２をデスク本体１１と切り離して単体で使用する。この場合、使用者は、背面板に形成された上から２段目のネジ挿通孔１２４ｂと、最下段のネジ挿通孔１２４ｃとを通して、３枚のブックエンド板１２３を、固定ネジ（不図示）によって背面板１２２の表面に固定する。
【００４４】
この場合、各ブックエンド板１２３が、図１に示す第１の使用状態と比較して、背面板１２２における低い位置に取り付けられる。従って、図９に示すように、棚本体１２１を構成する天面板１２１Ｃの上に、本５５等の最小限の物品を整理して並べることができる。
【００４５】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００４６】
１０…デスク装置
１１…デスク本体
１１１…天板
１１１ａ…下面（天板１１１）
１１１Ｅ…金具挿通穴
１１２…脚
１１２ａ…下端（脚１１２）
１２…棚
１２１…棚本体
１２２…背面板
１２４…ネジ挿通孔
１２３…ブックエンド板（物品支持板）
５０…転倒防止金具
５１…固定金具
５６…電気器具
【図１】
2012020047.tif 000003
【図２】
2012020047.tif 000004
【図３】
2012020047.tif 000005
【図４】
2012020047.tif 000006
【図５】
2012020047.tif 000007
【図６】
2012020047.tif 000008
【図７】
2012020047.tif 000009
【図８】
2012020047.tif 000010
【図９】
2012020047.tif 000011